(57)【要約】【課題】操作性を向上できるプロジェクターを提供すること。【解決手段】種々の操作を行う複数の操作ボタン２１１を有し、外装筐体２の外面に露出する操作パネル２１と、入射光束を画像情報に応じて変調された画像光を投射する投射レンズ３３とを備えたプロジェクター１は、投射レンズ３３を構成する複数のレンズの相対位置を変更するフォーカス調整部と、フォーカス調整部を動作させるフォーカス調整ボタン４１を有するフォーカス調整パネル４とを備え、フォーカス調整パネル４は、操作パネル２１とは独立した位置に配設される。【選択図】図１
2010224250.tif 000002
【特許請求の範囲】
【請求項１】
種々の操作を行う複数の操作ボタンを有し、外装筐体の外面に露出する操作パネルと、入射光束を画像情報に応じて変調された画像光を投射する投射光学装置とを備えたプロジェクターであって、
前記投射光学装置を構成する複数のレンズの相対位置を変更する画像調整部と、
前記画像調整部を動作させる画像調整ボタンを有する画像調整パネルとを備え、
前記画像調整パネルは、
前記操作パネルとは独立した位置に配設される
ことを特徴とするプロジェクター。
【請求項２】
請求項１に記載のプロジェクターにおいて、
前記外装筐体の天面には、外装筐体の一部を開口し、前記投射光学装置を露出する開口部が形成され、
前記画像調整パネルは、前記開口部に配設されている
ことを特徴とするプロジェクター。
【請求項３】
種々の操作を行う複数の操作ボタンを有し、外装筐体の外面に露出する操作パネルと、入射光束を画像情報に応じて変調された画像光を投射する投射光学装置とを備えたプロジェクターであって、
前記投射光学装置から投射される投射画像の位置を移動させる投射位置調整装置と、
前記投射位置調整装置を動作させる投射位置調整ボタンを有する投射位置調整パネルとを備え、
前記投射位置調整パネルは、
前記操作パネルとは独立した位置に配設される
ことを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調して、画像光をスクリーン等に投射するプロジェクターが知られている。
このプロジェクターの外装を構成する外装筐体の天面側には、各種操作（電源ＯＮ／ＯＦＦ、ズーム調整、フォーカス調整等）を行う複数の操作ボタンが配設された操作パネルが設けられている（例えば、特許文献１参照）。
【先行技術文献】
【特許文献】
【０００３】
【特許文献１】特開２００８−２１６７５７号公報
【発明の概要】
【発明が解決しようとする課題】
【０００４】
ところで、特許文献１に記載のプロジェクターでは、使用者がスクリーン上に投射された投射画像を調整する際に、操作パネル上の複数の操作ボタンの中から所望の操作ボタン（フォーカス調整ボタン、またはズーム調整ボタン）を選択して操作することとなる。この際、使用者は、複数の操作ボタンから所望のボタンを選択するため、所望のボタンと異なる操作ボタンを誤って操作するおそれがあり、操作性が悪いという問題がある。
【０００５】
本発明の目的は、操作性を向上できるプロジェクターを提供することにある。
【課題を解決するための手段】
【０００６】
本発明のプロジェクターは、種々の操作を行う複数の操作ボタンを有し、外装筐体の外面に露出する操作パネルと、入射光束を画像情報に応じて変調された画像光を投射する投射光学装置とを備えたプロジェクターであって、前記投射光学装置を構成する複数のレンズの相対位置を変更する画像調整部と、前記画像調整部を動作させる画像調整ボタンを有する画像調整パネルとを備え、前記画像調整パネルは、前記操作パネルとは独立した位置に配設されることを特徴とする。
【０００７】
本発明では、種々の操作を行う操作パネルとは独立した位置に画像調整部を動作させる画像調整パネルが配設されているので、使用者は、例えば、フォーカス調整やズーム調整を行う際に、複数の操作ボタンから所望の操作ボタンを選択する必要がない。すなわち、使用者は、操作パネルとは独立した位置に配設されている画像調整パネルを容易に識別でき、画像調整ボタンを操作することができる。従って、プロジェクターの操作性を向上できる。
【０００８】
本発明のプロジェクターでは、前記外装筐体の天面には、外装筐体の一部を開口し、前記投射光学装置を露出する開口部が形成され、前記画像調整パネルは、前記開口部に配設されていることが好ましい。
ところで、外装筐体の天面に形成された開口部からは、投射光学装置のフォーカス調整またはズーム調整を行う調整リングが露出している。また、当該開口部分は、他の構成部材が配設されないデッドスペースとなり易い。
本発明では、外装筐体の天面に形成された開口部に画像調整パネルが配設されるので、デッドスペースを有効に利用しつつ、操作性の向上を図っている。
【０００９】
本発明のプロジェクターは、種々の操作を行う複数の操作ボタンを有し、外装筐体の外面に露出する操作パネルと、入射光束を画像情報に応じて変調された画像光を投射する投射光学装置とを備えたプロジェクターであって、前記投射光学装置から投射される投射画像の位置を移動させる投射位置調整装置と、前記投射位置調整装置を動作させる投射位置調整ボタンを有する投射位置調整パネルとを備え、前記投射位置調整パネルは、前記操作パネルとは独立した位置に配設されることを特徴とする。
【００１０】
本発明では、上述したように、複数の操作ボタンを有する操作パネルとは独立した位置に投射位置調整装置を動作させる投射位置調整パネルが配設されるので、使用者は、投射位置調整パネルを容易に識別でき、投射位置調整ボタンを操作することができる。従って、プロジェクターの操作性を向上できる。
【図面の簡単な説明】
【００１１】
【図１】本発明の第１実施形態に係るプロジェクターの外観構成を示す斜視図。
【図２】前記第１実施形態のプロジェクターの要部を拡大して示す斜視図。
【図３】前記プロジェクターの構成を示すブロック図。
【図４】前記プロジェクターのフォーカス調整を示すフローチャート。
【図５】本発明の第２実施形態に係るプロジェクターの要部を拡大して示す斜視図。
【図６】前記プロジェクターの構成を示すブロック図。
【図７】前記プロジェクターの投射位置調整を示すフローチャート。
【発明を実施するための形態】
【００１２】
〔第１実施形態〕
以下、本発明に係る第１実施形態を図面に基づいて説明する。
［プロジェクターの構成］
図１は、第１実施形態に係るプロジェクター１の概略構成を模式的に示す図である。
図２は、プロジェクター１の要部を拡大して示す斜視図である。
図３は、プロジェクター１の構成を示すブロック図である。
なお、以下では、プロジェクター１において投射側（投射レンズ３３が配置された側）を「前面」とし、その反対側を「背面」とする。また、以下で記載する「左」、「右」は、プロジェクター１を後述する天面を上側として前面側から見たときに左右に相当するものである。
プロジェクター１は、画像情報に応じた画像を形成してスクリーン（図示略）上に投射し、外装筐体２を備えている。
【００１３】
外装筐体２は、図１に示すように、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。
外装筐体２の天面の背面寄りには、図１に示すように、プロジェクター１の種々の操作を行う複数の操作ボタン２１１を備えた操作パネル２１が配設されている。
この操作パネル２１の下方には、図示しない回路基板が配設されている。そのため、操作ボタン２１１を押下することで、前記回路基板に実装されたスイッチング素子に信号が入力されて、所望の操作が実行される。
【００１４】
また、外装筐体２には、図１、２に示すように、開口部２２が形成されている。開口部２２は、図２に示すように、投射画像のズーム調整をする画像調整部としてのズームリング３３１を露出させる。そして、当該開口部２２の投射方向側には、後述する画像調整パネルとしてのフォーカス調整パネル４が配設されている。
【００１５】
ここで、プロジェクター１は、図３に示すように、上述した操作パネル２１の他、外装筐体２内に収納される画像投射手段３、フォーカス調整パネル４、検出手段５、及び制御手段６を備える。
【００１６】
画像投射手段３は、図３に示すように、入力される画像信号としての駆動信号に応じた画像を形成及び投射する。この画像投射手段３は、光源装置３１、光変調装置３２、投射光学装置としての投射レンズ３３を備えている。
光源装置３１は、図示を省略するが、高圧水銀ランプ等の光源ランプ及び反射鏡であるリフレクタ、或いは、ＬＥＤ等の固体光源を備え、光変調装置３２に光束を照射する。
光変調装置３２は、図示を省略するが、光源装置３１から射出された光束を変調して画像光を形成する液晶パネルと、入力される駆動信号に応じて液晶パネルを駆動するドライバとを備えて構成されている。なお、光変調装置３２は、液晶パネルを備える構成に限定されるものではなく、例えば、マイクロミラーを用いたデバイス等、液晶以外の構成を採用してもよい。
【００１７】
投射レンズ３３は、光変調装置３２により形成された画像光を図示しないスクリーンの投射面上に拡大投射するものである。この投射レンズ３３は、図１に示すように、外装筐体２の前面側の右寄りに位置し、図示しない筒状の鏡筒内に複数のレンズが収納された組レンズとして構成されている。
また、投射レンズ３３は、図３に示すように、上述したズームリング３３１の他、画像調整部としてのフォーカス調整部３３２を備える。
フォーカス調整部３３２は、例えば、パルスモーター等で構成され、制御手段６による制御の下、投射レンズ３３内のレンズを投射画像の焦点位置を調整するために鏡筒の光軸に沿って進退するように駆動させる。
ズームリング３３１は、手動により鏡筒の周方向に沿って回転可能に構成され、回転することで、鏡筒内のレンズを光軸方向に移動させる。これにより、各レンズの相対位置を変更し（ズーム状態を変更し）、投射画像のズーム調整が実施される。
【００１８】
フォーカス調整パネル４は、図１、２に示すように、開口部２２の前面寄り（投射方向側）に配設され、図１〜３に示すように、投射画像の焦点位置を調整する画像調整ボタンとしてのフォーカス調整ボタン４１を有する。
フォーカス調整ボタン４１は、フォーカス調整部３３２を動作させるものであり、フォーカス調整ボタン４１の下方には、図示しない回路基板が配設されている。すなわち、当該回路基板は、上述した操作パネル２１の回路基板とは独立して配設されている。
そして、フォーカス調整ボタン４１を押下することで、回路基板に実装されたスイッチング素子に信号が入力されて、フォーカス調整部３３２が駆動される。そして、上述したように、投射レンズ３３内のレンズが鏡筒の光軸に沿って進退し、投射画像の焦点位置が調整される。
【００１９】
検出手段５は、図３に示すように、使用者による操作パネル２１及びフォーカス調整パネル４の操作を検出する。そして、検出手段５は、操作パネル２１及びフォーカス調整パネル４が操作されると、検出信号を制御手段６に出力する。
【００２０】
制御手段６は、図３に示すように、ＣＰＵ（Central Processing Unit）で構成される主制御部６１を備え、メモリー６２に記憶された制御プログラムにしたがって、プロジェクター１全体を制御する。この制御手段６は、図３に示すように、主制御部６１及びメモリー６２の他、駆動制御部６３を備える。
【００２１】
駆動制御部６３は、制御手段６に入力した画像信号に対して画像処理を施し、画像処理を施した画像信号に対する駆動信号を光変調装置３２に出力するほか、光源装置３１の点消灯及び発光光量を制御する制御信号を出力する。
【００２２】
主制御部６１は、メモリー６２に記憶された制御プログラムにしたがって、駆動制御部６３に所定の制御信号を出力し、所定の処理を実行させる。この主制御部６１は、図３に示すように、操作判定部６１１と、焦点位置制御部６１２と、各種操作制御部６１３とを備える。
なお、主制御部６１としては、プロジェクター１の操作を行う機能を主に説明し、その他の機能の説明を省略する。
【００２３】
操作判定部６１１は、検出手段５から入力される検出信号に基づいて、操作パネル２１及びフォーカス調整パネル４が操作されたか否かを判定する。
焦点位置制御部６１２は、操作判定部６１１でフォーカス調整パネル４が操作されたことを判定すると、フォーカス調整ボタン４１の操作量に基づいて、フォーカス調整量を算定する。そして、この算定結果に応じた制御信号が、フォーカス調整部３３２に入力される。これにより、フォーカス調整部３３２は、算定されたフォーカス調整量に基づいて、レンズ鏡筒内で移動させる。
各種操作制御部６１３は、操作判定部６１１で操作パネル２１のいずれの操作ボタン２１１が操作されたかを判定すると、その操作ボタン２１１の種別に応じて、操作信号を対象となる構成部材に出力する。例えば、電源をオン／オフする電源ボタンが操作された場合には、各種操作制御部６１３は、操作信号を図示しない電源装置に出力する。
【００２４】
［フォーカス調整時の処理］
次に、フォーカス調整時のプロジェクター１の処理について、図４のフローチャートを参照して説明する。
先ず、使用者が、フォーカス調整パネル４のフォーカス調整ボタン４１を操作すると、検出手段５は、使用者によるフォーカス調整ボタン４１の操作を検出して、検出信号を制御手段６へ出力する。そして、操作判定部６１１は、入力される検出信号に基づいてフォーカス調整ボタン４１が操作されたか否かを判定する（ステップＳ１）。
次に、操作判定部６１１により、フォーカス調整ボタン４１が操作されたと判定すると、焦点位置制御部６１２は、フォーカス調整ボタン４１の操作量に基づいて、フォーカス調整量を算定する（ステップＳ２）。
そして、フォーカス調整部３３２は、算定されたフォーカス調整量に基づいて、レンズ鏡筒に沿って移動させる（ステップＳ３）。
【００２５】
上述した第１実施形態のプロジェクター１によれば、以下の効果がある。
本実施形態によれば、種々の操作を行う操作パネル２１とは独立した位置にフォーカス調整パネル４が配設されているので、使用者は、フォーカス調整を行う際に、複数の操作ボタン２１１から所望の操作ボタンを選択する必要がない。すなわち、使用者は、操作パネル２１とは独立した位置に配設されているフォーカス調整パネル４を容易に識別でき、フォーカス調整ボタン４１を操作することができる。従って、プロジェクター１の操作性を向上できる。
また、投射レンズ３の天面側に形成された開口部２２からは、投射レンズ３のズーム調整を行うズームリング３３１が露出している。また、当該開口部分は、他の構成部材が配設されないデッドスペースとなり易い。そこで、投射レンズ３の天面側に形成された開口部２２の投射方向側にフォーカス調整パネル４が配設されるので、デッドスペースを有効に利用しつつ、操作性の向上を図っている。
【００２６】
〔第２実施形態〕
次に、本発明の第２実施形態を図面に基づいて説明する。
図５は、第２実施形態におけるプロジェクター１の要部を拡大して示す斜視図である。
図６は、プロジェクター１の構成を示すブロック図である。
以下の説明では、前記第１実施形態と同様の構造及び同一部材には同一符号を付して、その詳細な説明は省略または簡略化する。
前記第１実施形態では、フォーカス調整パネル４の回路基板が操作パネル２１の回路基板とは独立して配設されていたが、本実施形態では、投射位置調整パネル７の回路基板が操作パネル２１の回路基板とは独立して配設されている点で異なるものである。本実施形態では、フォーカス調整パネル４が配設されていないため、開口部２２からズームリング３３１及びフォーカスリング３３４が露出している。
【００２７】
投射レンズ３３は、図６に示すように、投射位置調整装置３３３を備える。
投射位置調整装置３３３は、投射レンズ３３の投射方向と直交する方向に投射レンズ３３を移動可能に支持し、図示しないスクリーン上の投射画像の位置を調整する。この投射位置調整装置３３３は、図６に示すように、投射位置調整装置本体３３３１と、調整装置駆動部３３３２とを備える。
【００２８】
投射位置調整装置本体３３３１は、投射レンズ３３を支持し、投射レンズ３３の投射方向と直交する上下方向（図５に示す矢印Ｕ方向、矢印Ｄ方向）、および左右方向（図５に示す矢印Ｌ方向、矢印Ｒ方向）に移動させ、スクリーン上の投射画像の位置を前記上下方向および前記左右方向に調整する。
調整装置駆動部３３３２は、例えば、パルスモーター等で構成され、制御手段６による制御の下、投射位置調整装置本体３３３１の図示しない駆動機構を駆動させ、スクリーン上の投射画像の位置を移動させる。
【００２９】
投射位置調整パネル７は、図５に示すように、外装筐体２の天面に形成された開口部２２の右側面寄りに配置され、４つの投射位置調整ボタン７１を備える。
投射位置調整ボタン７１は、調整装置駆動部３３３２を動作させるものであり、投射位置調整ボタン７１の下方には、図示しない回路基板が配設されている。すなわち、当該回路基板は、上述した操作パネル２１の回路基板とは独立して配設されている。
そして、投射位置調整ボタン７１を押下することで、回路基板に実装されたスイッチング素子に信号が入力されて、上述したように、調整装置駆動部３３３２が投射位置調整装置本体３３３１の図示しない駆動機構を駆動させ、スクリーン上の投射画像の位置を移動させる。
【００３０】
制御手段６の主制御部６１は、上述した操作判定部６１１及び各種操作制御部６１３の他、投射位置制御部６１４を備える。
本実施形態での操作判定部６１１は、検出手段５から入力される検出信号に基づいて、操作パネル２１及び投射位置調整パネル７が操作されたか否かを判定する。さらに、投射位置調整パネル７の投射位置調整ボタン７１の上下左右いずれのボタンが操作されているかを判定する。
投射位置制御部６１４は、操作判定部６１１で投射位置調整パネル７が操作されたことを判定すると、投射位置調整ボタン７１の上下左右方向に基づいて、制御信号を調整装置駆動部３３３２に出力する。これにより、調整装置駆動部３３３２は、投射位置調整装置本体３３３１の図示しない駆動機構を駆動させ、スクリーン上の投射画像の位置を移動させる。
【００３１】
［投射位置調整時の処理］
次に、本実施形態のプロジェクター１の投射位置調整処理について、図７のフローチャートを参照して説明する。
先ず、使用者は、投射位置調整パネル７の投射位置調整ボタン７１を操作すると、検出手段５は、使用者による投射位置調整ボタン７１の操作を検出して、検出信号を制御手段６へ出力する。そして、操作判定部６１１は、入力される検出信号に基づいて投射位置調整ボタン７１が操作されたか否かを判定する。この際、投射位置調整ボタン７１の上下左右いずれの操作が行なわれたかを判定する（ステップＳ１１）。
次に、操作判定部６１１により、投射位置調整ボタン７１が操作されたと判定すると、投射位置制御部６１４は、投射位置調整ボタン７１の上下左右方向に基づいて、制御信号を調整装置駆動部３３３２に出力する（ステップＳ１２）。
そして、調整装置駆動部３３３２は、投射位置調整装置本体３３３１の図示しない駆動機構を駆動させ、スクリーン上の投射画像の位置を移動させる（ステップＳ１３）。
【００３２】
上述した第２実施形態のプロジェクター１によれば、前記第１実施形態と同様の効果を奏することができる。
本実施形態によっても、複数の操作ボタン２１１を有する操作パネル２１とは独立した位置に投射位置調整パネル７が配設されるので、使用者は、投射位置調整パネル７を容易に識別でき、投射位置調整ボタン７１を操作できる。従って、プロジェクター１の操作性を向上できる。
【００３３】
［実施形態の変形］
なお、本発明は前述の実施形態に限定されるものではなく、本発明の目的を達成できる範囲での変形、改良等は本発明に含まれるものである。
前記第１実施形態では、フォーカス調整部３３２を駆動するフォーカス調整パネル４を配設したが、ズームリング３３１を調整するズーム調整パネルも配設してもよい。また、いずれか一方のみを配設してもよい。
前記各実施形態では、フォーカス調整パネル４または投射位置調整パネル７のいずれかが配設されていたが、これらを組み合わせて配設してもよい。
【産業上の利用可能性】
【００３４】
本発明は、プレゼンテーションやホームシアターに用いられるプロジェクターに利用できる。
【符号の説明】
【００３５】
１…プロジェクター、２…外装筐体、４…フォーカス調整パネル（画像調整パネル）、７…投射位置調整パネル、２１…操作パネル、２２…開口部、３３…投射レンズ（投射光学装置）、４１…フォーカス調整ボタン（画像調整ボタン）、７１…投射位置調整ボタン、２１１…操作ボタン、３３１…ズームリング（画像調整部）、３３２…フォーカス調整部（画像調整部）、３３３…投射位置調整装置。
【図１】
2010224250.tif 000003
【図２】
2010224250.tif 000004
【図３】
2010224250.tif 000005
【図４】
2010224250.tif 000006
【図５】
2010224250.tif 000007
【図６】
2010224250.tif 000008
【図７】
2010224250.tif 000009
【手続補正書】
【提出日】平成22年4月26日(2010.4.26)
【手続補正１】
【補正対象書類名】明細書
【補正対象項目名】００２５
【補正方法】変更
【補正の内容】
【００２５】
上述した第１実施形態のプロジェクター１によれば、以下の効果がある。
本実施形態によれば、種々の操作を行う操作パネル２１とは独立した位置にフォーカス調整パネル４が配設されているので、使用者は、フォーカス調整を行う際に、複数の操作ボタン２１１から所望の操作ボタンを選択する必要がない。すなわち、使用者は、操作パネル２１とは独立した位置に配設されているフォーカス調整パネル４を容易に識別でき、フォーカス調整ボタン４１を操作することができる。従って、プロジェクター１の操作性を向上できる。
また、投射レンズ３３の天面側に形成された開口部２２からは、投射レンズ３３のズーム調整を行うズームリング３３１が露出している。また、当該開口部分は、他の構成部材が配設されないデッドスペースとなり易い。そこで、投射レンズ３３の天面側に形成された開口部２２の投射方向側にフォーカス調整パネル４が配設されるので、デッドスペースを有効に利用しつつ、操作性の向上を図っている。
【手続補正２】
【補正対象書類名】図面
【補正対象項目名】図３
【補正方法】変更
【補正の内容】
【図３】
2010224250.tif 000010
【手続補正３】
【補正対象書類名】図面
【補正対象項目名】図６
【補正方法】変更
【補正の内容】
【図６】
2010224250.tif 000011